【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
第１電力状態と前記第１電力状態より省電力の第２電力状態とを有する画像形成装置と、前記画像形成装置と通信可能な情報処理装置とを備える画像形成システムであって、
前記画像形成装置は、
前記第１電力状態から前記第２電力状態に移行する要因を検知した場合に、前記情報処理装置に第１情報を送信する第１送信手段を備え、
前記情報処理装置は、
前記画像形成装置から前記画像形成装置の情報を定期的に取得する取得手段と、
前記第１送信手段によって送信された前記第１情報を受信する受信手段と、を備え、
前記取得手段は、前記受信手段が前記第１情報を受信した場合に、前記画像形成装置から前記画像形成装置の情報を定期的に取得するのを停止する、ことを特徴とする画像形成システム。
【請求項２】
前記情報処理装置は、さらに、
前記受信手段が前記第１情報を受信した場合に、前記画像形成装置に第２情報を送信する第２送信手段を備え、
前記画像形成装置は、さらに、
前記第２送信手段によって送信された前記第２情報を受信した場合に、前記画像形成装置の電力状態を前記第１電力状態から前記第２電力状態に移行させる移行手段、を備えることを特徴とする請求項１に記載の画像形成システム。
【請求項３】
前記取得手段は、前記画像形成装置の電力状態が前記第２電力状態から前記第１電力状態に復帰した場合に、前記画像形成装置から前記画像形成装置の情報を定期的に取得するのを再開する、ことを特徴とする請求項２に記載の画像形成システム。
【請求項４】
前記第２送信手段は、前記取得手段が前記画像形成装置の情報を定期的に取得するのを停止した後に、前記画像形成装置に第２情報を送信する、ことを特徴とする請求項２又は３に記載の画像形成システム。
【請求項５】
前記情報処理装置は、さらに、
外部装置から受信した画像データを用いて印刷可能な印刷データを生成する生成手段を備える、ことを特徴とする請求項１乃至４の何れか１項に記載の画像形成システム。
【請求項６】
前記生成手段は、前記印刷可能な印刷データとしてラスターイメージデータを生成する、ことを特徴とする請求項５に記載の画像形成システム。
【請求項７】
前記取得手段は、前記画像形成装置から前記画像形成装置の情報を定期的に取得するのを停止する前に、前記画像形成装置の情報を取得する、ことを特徴とする請求項２乃至６の何れか１項に記載の画像形成システム。
【請求項８】
前記情報処理装置は、さらに、
前記画像形成装置の情報を定期的に取得するのを停止する前に取得した前記画像形成装置の情報を用いて、外部装置からの前記画像形成装置の情報の問合せに対して応答する応答手段を備える、ことを特徴とする請求項７に記載の画像形成システム。
【請求項９】
前記応答手段は、前記画像形成装置を前記第２電力状態から前記第１電力状態に復帰させること無く、前記外部装置からの前記画像形成装置の情報の問合せに対して応答する、ことを特徴とする請求項８に記載の画像形成システム。
【請求項１０】
第１電力状態と前記第１電力状態より省電力の第２電力状態とを有する画像形成装置と通信可能な情報処理装置であって、
前記画像形成装置から前記画像形成装置の情報を定期的に取得する取得手段と、
前記画像形成装置が前記第１電力状態から前記第２電力状態に移行する要因を検知したときに前記画像形成装置が送信する第１情報を受信する受信手段と、を備え、
前記取得手段は、前記受信手段によって前記第１情報が受信された場合に、前記画像形成装置から前記画像形成装置の情報を定期的に取得するのを停止する、ことを特徴とする情報処理装置。
【請求項１１】
前記受信手段が前記第１情報を受信した場合に、前記画像形成装置を前記第１電力状態から前記第２電力状態に移行させる第２情報を送信する送信手段をさらに備える、ことを特徴とする請求項１０に記載の情報処理装置。
【請求項１２】
前記取得手段は、前記画像形成装置の電力状態が前記第２電力状態から前記第１電力状態に復帰した場合に、前記画像形成装置から前記画像形成装置の情報を定期的に取得するのを再開する、ことを特徴とする請求項１１に記載の情報処理装置。
【請求項１３】
前記送信手段は、前記取得手段が前記第１情報処理装置の情報を定期的に取得するのを停止した後に、前記第１情報処理装置に第２情報を送信する、請求項１１又は１２に記載の情報処理装置。
【請求項１４】
外部装置から受信された画像データを用いて印刷可能な印刷データを生成する生成手段を備える、ことを特徴とする請求項１０乃至１３の何れか１項に記載の情報処理装置。
【請求項１５】
前記生成手段は、前記印刷可能な印刷データとしてラスターイメージデータを生成する、ことを特徴とする請求項１４に記載の情報処理装置。
【請求項１６】
前記取得手段は、前記画像形成装置から前記画像形成装置の情報を定期的に取得するのを停止する前に、前記画像形成装置の情報を取得する、ことを特徴とする請求項１０乃至１５の何れか１項に記載の情報処理装置。
【請求項１７】
前記画像形成装置の情報を定期的に取得するのを停止する前に取得した前記画像形成装置の情報を用いて、外部装置からの前記画像形成装置の情報の問合せに対して応答する応答手段をさらに備える、ことを特徴とする請求項１６に記載の情報処理装置。
【請求項１８】
前記応答手段は、前記画像形成装置を前記第２電力状態から前記第１電力状態に復帰させること無く、前記外部装置からの前記画像形成装置の情報の問合せに対して応答する、ことを特徴とする請求項１７に記載の情報処理装置。
【手続補正２】
【補正対象書類名】明細書
【補正対象項目名】発明の名称
【補正方法】変更
【補正の内容】
【発明の名称】画像形成システム、及び情報処理装置
【手続補正３】
【補正対象書類名】明細書
【補正対象項目名】０００１
【補正方法】変更
【補正の内容】
【０００１】
本発明は、画像形成装置と情報処理装置とが通信可能に接続される画像形成システム、及び、画像形成装置と通信可能に接続される情報処理装置に関する。
【手続補正４】
【補正対象書類名】明細書
【補正対象項目名】０００６
【補正方法】変更
【補正の内容】
【０００６】
上記目的を達成するために、本発明の画像形成システムは、第１電力状態と前記第１電力状態より省電力の第２電力状態とを有する画像形成装置と、前記画像形成装置と通信可能な情報処理装置とを備える画像形成システムであって、前記画像形成装置は、前記第１電力状態から前記第２電力状態に移行する要因を検知した場合に、前記情報処理装置に第１情報を送信する第１送信手段を備え、前記情報処理装置は、前記画像形成装置から前記画像形成装置の情報を定期的に取得する取得手段と、前記第１送信手段によって送信された前記第１情報を受信する受信手段と、を備え、前記取得手段は、前記受信手段が前記第１情報を受信した場合に、前記画像形成装置から前記画像形成装置の情報を定期的に取得するのを停止する。
また、上記目的を達成するために、本発明の情報処理装置は、第１電力状態と前記第１電力状態より省電力の第２電力状態とを有する画像形成装置と通信可能な情報処理装置であって、前記画像形成装置から前記画像形成装置の情報を定期的に取得する取得手段と、前記画像形成装置が前記第１電力状態から前記第２電力状態に移行する要因を検知したときに前記画像形成装置が送信する第１情報を受信する受信手段と、を備え、前記取得手段は、前記受信手段によって前記第１情報が受信された場合に、前記画像形成装置から前記画像形成装置の情報を定期的に取得するのを停止する。